(57)【要約】【課題】温度に応じて最適な表示を行うことができる液晶表示装置を提供すること。【解決手段】本発明の一態様にかかる液晶表示装置１００は、マトリクス状に配置された複数の画素を有する液晶表示パネル１０１と、液晶表示パネル１０１に一定周期ごとに極性反転された表示信号を出力する駆動回路１０２とを備えた液晶表示装置１００であって、液晶表示パネル１０１の温度を測定する温度測定器１０３と、温度測定器１０３によって測定された液晶表示パネル１０１の温度に応じて表示信号の極性反転周期を変化させる制御回路としてのマイコン１０６とを備えるものである。【選択図】  図１
2007226049.tif 000002
【特許請求の範囲】
【請求項１】
マトリクス状に配置された複数の画素を有する液晶表示パネルと、
前記液晶表示パネルに一定周期ごとに極性反転された表示信号を出力する駆動回路とを備えた液晶表示装置であって、
前記液晶表示パネルの温度を測定する温度測定器と、
前記温度測定器によって測定された前記液晶表示パネルの温度に応じて前記表示信号の極性反転周期を変化させる制御回路とを備える液晶表示装置。
【請求項２】
前記制御回路は、前記液晶表示パネルの温度が所定の温度よりも高い場合には、前記表示信号の極性反転周期を短くし、
前記液晶表示パネルの温度が所定の温度よりも低い場合には、前記表示信号の極性反転周期を長くする請求項１に記載の液晶表示装置。
【請求項３】
前記制御回路は、前記液晶表示パネルの温度に応じて前記表示信号の電圧値を変化させる請求項１又は２に記載の液晶表示装置。
【請求項４】
マトリクス状に配置された複数の画素を有する液晶表示パネルに一定周期ごとに極性反転された表示信号を出力する液晶表示装置の駆動方法であって、
前記液晶表示パネルの温度を検出し、
前記液晶表示パネルの温度に応じて、前記表示信号の極性反転周期を変化させる液晶表示装置の駆動方法。
【請求項５】
前記液晶表示パネルの温度が所定の温度よりも高い場合には、前記表示信号の極性反転周期を短くし、
前記液晶表示パネルの温度が所定の温度よりも低い場合には、前記表示信号の極性反転周期を長くする請求項４に記載の液晶表示装置の駆動方法。
【請求項６】
前記液晶表示パネルの温度に応じて前記表示信号の電圧値を変化させる請求項４又は５に記載の液晶表示装置の駆動方法。
【発明の詳細な説明】
【技術分野】
【０００１】
本発明は、液晶表示装置及びその駆動方法に関し、特に、極性反転駆動方式の液晶表示装置及びその駆動方法に関する。
【背景技術】
【０００２】
近年、高度な映像・情報化社会の進展やマルチメディアシステムの普及に伴い、表示装置の重要性はますます増大している。液晶表示装置は、薄型・軽量・低消費電力という利点を有することから、携帯通信端末などの表示装置として広く用いられている。
【０００３】
一般的に、液晶表示パネルの駆動電圧には、液晶表示パネルに表示される画像のコントラストが最大となる最適値が存在し、その最適値は液晶表示パネルの温度によって変化することが知られている。従って、液晶表示パネルの温度によって駆動電圧を変えなければ最適なコントラストを得ることができない。
【０００４】
そこで、従来から、液晶表示パネルの温度を検出するサーミスタなどの温度測定器を設け、この温度測定器によって測定した温度に応じて、液晶表示パネルに最適な駆動電圧を印加するようにした液晶表示装置が提案されている（例えば、特許文献１参照）。
【特許文献１】特開２００３−０１５１４８号公報
【発明の開示】
【発明が解決しようとする課題】
【０００５】
ところで、通常、液晶表示装置においては、直流電圧印加による液晶材料の特性の劣化を防止するために、液晶に印加する駆動電圧の極性を一定周期で反転させている。このような極性反転駆動方式としては、例えば１選択期間内で駆動電圧の極性を反転させるＡ方式と、１フレームごとに駆動電圧の極性を反転させるＢ方式がある。しかしながら、これらの駆動方式では消費電力が大きい、あるいはクロストークが発生してしまうなどの問題を有していた。
【０００６】
この問題を軽減するために、従来からＡＢｍｉｘ方式が採用されている。ＡＢｍｉｘ方式では、一定の選択期間ごとに極性を反転させた駆動電圧を印加する。この極性を反転させる周期は、一般的にＳ値と呼ばれる。通常、Ｓ値はあらかじめフレーム周波数やデューティ比などの駆動条件に合わせて、一定の値に設定されている。
【０００７】
しかしながら、このＡＢｍｉｘ方式においても、配線抵抗や交流化したときの過渡応答などにより、駆動電圧の波形歪みが発生してしまう。このため、駆動電圧の極性を反転した場合、駆動電圧の実効値が変化してしまい、クロストークが発生し、高品質の表示を行うことができないことがある。特に、液晶表示装置を低温環境下において使用するときには、クロストークの発生が顕著である。
【０００８】
また、液晶表示装置を高温環境下において使用するときには、液晶自体の応答速度が速くなる。このため、波形歪みの発生した駆動電圧に液晶が追随して、表示がちらつくという問題がある。
【０００９】
本発明は、このような事情を背景としてなされたものであり、本発明の目的は、温度に応じて最適な表示を行うことができる液晶表示装置及び駆動方法を提供することである。
【課題を解決するための手段】
【００１０】
本発明の第１の態様にかかる液晶表示装置は、マトリクス状に配置された複数の画素を有する液晶表示パネルと、前記液晶表示パネルに一定周期ごとに極性反転された表示信号を出力する駆動回路とを備えた液晶表示装置であって、前記液晶表示パネルの温度を測定する温度測定器と、前記温度測定器によって測定された前記液晶表示パネルの温度に応じて前記表示信号の極性反転周期を変化させる制御回路とを備えるものである。このような構成とすることによって、液晶表示パネルの温度に応じて最適な表示を行うことができる。
【００１１】
本発明の第２の態様にかかる液晶表示装置は、上記の液晶表示装置において、前記制御回路は、前記液晶表示パネルの温度が所定の温度よりも高い場合には、前記表示信号の極性反転周期を短くし、前記液晶表示パネルの温度が所定の温度よりも低い場合には、前記表示信号の極性反転周期を長くするものである。このような構成とすることによって、液晶表示パネルの温度に応じて最適な表示を行うことができる。
【００１２】
本発明の第３の態様にかかる液晶表示装置は、上記の液晶表示装置において、前記制御回路は、前記液晶表示パネルの温度に応じて前記表示信号の電圧値を変化させるものである。このような構成とすることによって、さらに高品質の表示を行うことが可能である。
【００１３】
本発明の第４の態様にかかる液晶表示装置の駆動方法は、マトリクス状に配置された複数の画素を有する液晶表示パネルに一定周期ごとに極性反転された表示信号を出力する液晶表示装置の駆動方法であって、前記液晶表示パネルの温度を検出し、前記液晶表示パネルの温度に応じて、前記表示信号の極性反転周期を変化させる。これにより、液晶表示パネルの温度に応じて、最適な表示を行うことができる。
【００１４】
本発明の第５の態様にかかる液晶表示装置の駆動方法は、上記の駆動方法において、前記液晶表示パネルの温度が所定の温度よりも高い場合には、前記表示信号の極性反転周期を短くし、前記液晶表示パネルの温度が所定の温度よりも低い場合には、前記表示信号の極性反転周期を長くする。これにより、液晶表示パネルの温度に応じて最適な表示を行うことができる。
【００１５】
本発明の第６の態様にかかる液晶表示装置の駆動方法は、上記の駆動方法において、前記液晶表示パネルの温度に応じて前記表示信号の電圧値を変化させる。これにより、さらに高品質の表示を行うことが可能である。
【発明の効果】
【００１６】
本発明によれば、温度に応じて最適な表示を行うことができる液晶表示装置及びその駆動方法を提供することができる。
【発明を実施するための最良の形態】
【００１７】
以下に、本発明の実施の形態について図を参照して説明する。以下の説明は、本発明の実施の形態を説明するものであり、本発明が以下の実施の形態に限定されるものではない。説明の明確化のため、以下の記載及び図面は、適宜、省略及び簡略化がなされている。
【００１８】
実施の形態１．
本発明の実施の形態１について、図１を参照して説明する。図１は、本発明の実施の形態１にかかる液晶表示装置１００の構成を示す模式図である。本実施の形態においては、単純マトリクス型の液晶表示パネル１０１を用いた例について説明する。図１に示すように、液晶表示装置１００は、液晶表示パネル１０１、駆動回路１０２、温度測定器１０３、検出回路１０４、Ａ／Ｄコンバータ１０５、制御回路としてのマイコン１０６、電源回路１０７などを備えている。
【００１９】
発明にかかる液晶表示パネル１０１の駆動方式としては、従来から広く知られているＡＢｍｉｘ方式が用いられる。従って、一定の選択期間ごとに駆動電圧の極性を反転させる。この極性を反転させる周期は、一般的にＳ値と呼ばれる。本発明は、液晶表示パネル１０１の温度に応じてＳ値を制御し、極性を反転させる周期を変化させることにより、表示品質を向上させることを特徴としている。
【００２０】
液晶表示パネル１０１は、入力される表示データに基づいて画像表示を行う。液晶表示パネル１０１は、ガラスなどからなる２枚の基板の間に液晶を封入した構成を有している。一方の基板には、複数の信号電極が列方向に一定間隔を隔てて形成されている。また、他方の基板には、信号電極と交差するように走査電極が行方向に一定間隔を隔てて形成されている。本実施の形態においては、走査電極が、信号電極と液晶を挟んで対向する対向電極である。走査電極と信号電極との交差部が単位画素に対応する。走査電極及び信号電極は、例えば、ＩＴＯ（Indium Tin Oxide）などの透明導電性薄膜から形成されている。
【００２１】
なお、単位画素に対応する位置にＲ（赤）、Ｇ（緑）、Ｂ（青）のいずれかに着色された樹脂を配置したカラーフィルタを設けてもよい。このとき、１つの画素は、Ｒ、Ｇ、Ｂの３つの単位画素から構成される。また、Ｒ、Ｇ、Ｂ各色の間に、ＢＭ（Black Matrix：ブラックマトリックス）を設けてもよい。
【００２２】
また、２枚の基板の対向する面にはそれぞれ所定の方向に配向された配向膜が設けられている。これら両基板に挟持された液晶は、配向膜によって所定の方向に配向する。さらに、それぞれの基板の外側表面には、偏光板が貼着される。
【００２３】
駆動回路１０２は、電気的に液晶表示パネル１０１に接続されている。本実施の形態においては、駆動回路１０２は、液晶表示パネル１０１を構成する一方の基板上に設けられている。駆動回路１０２は、後述するマイコン１０６から入力される画像表示に必要な各種の信号に基づいて、走査電圧及び表示電圧を出力する。具体的には、駆動回路１０２は、マイコン１０６において表示信号の電圧値が補正された電圧補正信号に対応する表示電圧を、Ｓ値補正信号に応じた周期で極性を反転させて液晶表示パネル１０１に出力する。
【００２４】
温度測定器１０３は、上記の駆動回路１０２が設けられた液晶表示パネル１０１を構成する一方の基板上に設けられている。温度測定器１０３は、液晶表示パネル１０１の温度を測定する。温度測定器１０３としては、例えば、サーミスタなどを用いることができる。
【００２５】
検出回路１０４は、温度測定器１０３が測定した温度による電流変化、電圧変化からアナログの温度データを生成し、Ａ／Ｄコンバータ１０５に出力する。Ａ／Ｄコンバータ１０５は、入力された温度データをデジタル変換し、マイコン１０６に出力する。
【００２６】
制御回路としてのマイコン１０６は、入力される温度データに応じて、外部から入力される表示信号の電圧値を補正し、電圧補正信号を出力する。又、マイコン１０６は、入力される温度データに応じて、液晶に印加される駆動電圧の極性反転周期を決定するＳ値を補正し、Ｓ値補正信号を出力する。従って、本実施の形態にかかる液晶表示装置１００は、温度に応じて、電圧値を補正するのに加えて、Ｓ値を補正することによって極性反転周期を変化させている。電源回路１０７は、駆動回路１０２に必要な電源電圧及び、表示電圧の生成に必要な基準電圧を供給する。
【００２７】
液晶表示パネル１０１の背面には、バックライト（不図示）が備えられている。バックライトは、液晶表示パネル１０１の反視認側から液晶表示パネル１０１に対して白色光を照射する。バックライトとしては、例えば、光源、導光板、プリズムシートなどを備えた一般的な構成のものを用いる。
【００２８】
ここで、本実施の形態にかかる液晶表示装置１００の駆動について説明する。駆動回路１０２から各走査電極には順次、選択電圧となる走査電圧が印加される。一方、各信号電極には温度に応じて補正された電圧補正信号に対応する表示電圧が印加される。１フレームの間の走査電極及び信号電極の電位差が、液晶に印加される液晶駆動電圧となる。すなわち、液晶駆動電圧は、１フレーム間に液晶に印加される実効電圧である。各走査電圧によって選択された１つの走査電極と信号電極との電位差に応じて、走査電極−信号電極間の液晶の配列が変化する。反視認側の偏光板を透過した直線偏光は、液晶によって偏光方向が制御され、視認側偏光板を透過する光の透過率が制御される。
【００２９】
次に、図２〜図６を参照して上述した液晶表示装置１００の駆動方法について詳細に説明する。図２は、本実施の形態にかかる液晶表示装置１００の駆動方法を説明するフローチャートである。図３は、Ｓ値が７の場合に走査線に印加される走査電圧の波形を示す図である。図４は、Ｓ値が３の場合に走査線に印加される走査電圧の波形を示す図である。図５は、Ｓ値が１３の場合に走査線に印加される走査電圧の波形を示す図である。
【００３０】
ここで、温度測定器１０３によって測定された液晶表示パネル１０１の温度をＴＰＮＬとする。また、液晶表示パネル１０１の温度の下側の基準値をｔ１、上側の基準値をｔ２とする。また、説明の簡略化のため、本実施の形態においては１フレームが８選択期間（８ＲＳＴ：Row Select Time）の場合、すなわち走査電極が８本の場合について説明する。
【００３１】
また、図６は、本実施の形態にかかる液晶表示装置１００において液晶に印加される駆動電圧の極性を模式的に示す波形図である。図６（ａ）は、液晶表示パネル１０１の温度が所定の温度領域内、すなわち、ｔ１≦ＴＰＮＬ≦ｔ２のときの駆動電圧の極性を模式的に示す図である。また、同図（ｂ）は、液晶表示パネル１０１の温度が所定の温度領域よりも低い場合、すなわち、ＴＰＮＬ＜ｔ１のときの駆動電圧の極性を模式的に示す図である。さらに、同図（ｃ）は、液晶表示パネル１０１の温度が所定の温度領域よりも高い場合、すなわち、ｔ２＜ＴＰＮＬのときの駆動電圧の極性を模式的に示す図である。
【００３２】
まず、図２に示すように、温度測定器１０３によって、液晶表示パネル１０１の温度を測定する（ステップＳ１）。そして、得られた液晶表示パネル１０１の温度ＴＰＮＬに応じて、制御回路としてのマイコン１０６により電圧値の補正及びＳ値の補正を行う。具体的には、まず、測定した液晶表示パネル１０１の温度が所定の温度内かどうかを判定する（ステップＳ２）。
【００３３】
本実施の形態においては、液晶表示パネル１０１の温度ＴＰＮＬがｔ１以上ｔ２以下の場合は、従来と同じように、フレーム周波数、デューティ比などの駆動条件に基づいてあらかじめ決定したＳ値を用い、Ｓ値を変更しない（ステップＳ３）。例えば、液晶表示パネル１０１の温度が０℃〜５０℃の範囲内においては、Ｓ値を変更せず、あらかじめ設定したＳ＝７を用いる。Ｓ値が７の場合、７選択期間ごとに駆動電圧の極性を反転させる。すなわち、図３に示すように、走査電極に７選択期間の間、正極性の選択電圧が印加され、８選択期間目から次の７選択期間の間、負極性の選択電圧が印加される。従って、１フレームが８選択期間からなる本実施の形態の場合には、１ライン目の走査電極には、１フレームごとに正極性、負極性、正極性の選択電圧となる走査電圧が印加されることとなる。
これにより、液晶駆動電圧の極性は図６（ａ）に示すものとなる。
【００３４】
一方、液晶表示パネル１０１の温度が下側の基準値ｔ１よりも低い場合、あらかじめ設定されているＳ値よりも大きくする（ステップＳ４）。例えば、液晶表示パネル１０１の温度が０℃よりも低い場合には、Ｓ値をあらかじめ設定した値よりも大きくし、Ｓ＝１３とする。Ｓ値が１３の場合、１３本の走査ラインごとに駆動電圧の極性を反転させる。すなわち、図４に示すように、走査電極に１３選択期間の間、正極性の選択電圧が印加され、１４選択期間目から次の１３選択期間の間、負極性の選択電圧が印加される。従って、１フレームが８選択期間からなる本実施の形態の場合には、１ライン目の走査電極には、１フレームごとに正極性、正極性、負極性の選択電圧となる走査電圧が印加されることとなる。これにより、液晶駆動電圧の極性は図６（ｂ）に示すものとなる。
【００３５】
一般的に、液晶表示パネル１０１に印加される駆動電圧は、配線や電極の抵抗や、液晶容量の変化などにより、その波形が歪んでしまうことが知られている。このように駆動電圧の波形が歪むと実効電圧値が変化してしまい、表示が不均一となるクロストークが発生することがある。
【００３６】
ここで、液晶表示パネル１０１の時定数τは、液晶容量をＣ、液晶や配線、電極などの抵抗をＲとすると、以下の式で表される。
τ＝ＣＲ・・・（１）
また、液晶容量Ｃは、誘電率をε、電極面積をＳ、電極間距離をｄとすると、以下の式で表される。
Ｃ＝ε・Ｓ／ｄ・・・（２）
このうち、液晶の誘電率εは温度依存性があり、液晶容量は温度が変わることによって変化してしまう。広く知られているように、液晶の温度が低下すると、誘電率εは大きくなるため、液晶容量が大きくなり、時定数τが増大する。従って、液晶表示パネル１０１の温度が低下した場合には、上述したクロストークの発生が顕著となってしまう。
【００３７】
また、液晶や配線、電極などの抵抗Ｒは、温度依存性はないものの、周波数に応じてその値が変化してしまう。すなわち、抵抗Ｒは周波数が高くなるにつれてその値が大きくなる。このため、周波数が高くなるにつれて、時定数τは増大してしまう。
【００３８】
そこで、本発明では、液晶表示パネル１０１の温度が低い場合には、時定数τの増加を抑制するために、Ｓ値を大きくすることによって周波数を低くする。すなわち、極性反転した駆動電圧を印加する周期を長くする。例えば、１／１２０Ｄｕｔｙ、フレーム周波数９０Ｈｚ、Ｓ値７（極性反転周期７）の場合の周波数ｆ１は、
ｆ１＝１２０×９０／（２×７）＝７７１Ｈｚ
である。
【００３９】
これに対して、液晶表示パネル１０１の温度が低い場合に、Ｓ値を大きくし、Ｓ値を１３（極性反転周期１３）とした場合の周波数ｆ２は、
ｆ２＝１２０×９０／（２×１３）＝４１５Ｈｚ
である。このように、Ｓ値を大きくすることによって、周波数を低くすることができ、時定数τの増加を抑制することができる。このため、液晶表示パネル１０１の温度が低い場合における、表示品質の低下を抑制することができる。
【００４０】
また、液晶表示パネル１０１の温度が上側の基準値ｔ２よりも大きい場合には、あらかじめ設定されているＳ値よりも小さくする（ステップＳ５）。例えば、液晶表示パネル１０１の温度が５０℃よりも高い場合には、Ｓ値をあらかじめ設定した値よりも小さくし、Ｓ＝３とする。Ｓ値が３の場合、３本の走査ラインごとに駆動電圧の極性を反転させる。すなわち、図５に示すように、走査電極に３選択期間の間、正極性の選択電圧が印加され、４選択期間目から次の３選択期間の間、負極性の選択電圧が印加される。従って、１フレームが８選択期間からなる本実施の形態の場合には、１ライン目の走査電極には、１フレームごとに正極性、正極性、負極性の選択電圧となる走査電圧が印加されることとなる。これにより、液晶駆動電圧の極性は図６（ｃ）に示すものとなる。
【００４１】
一般的に、液晶は温度が高くなると、その粘度が低下し、応答速度が速くなる。従って、液晶表示パネル１０１の温度が高温になると、印加時間が短くても液晶が応答してしまうという問題がある。上述のように、波形が歪んだ駆動電圧が印加された場合には、ちらつきの発生が顕著となる。
【００４２】
そこで、本発明では、液晶表示パネル１０１の温度が高い場合には、液晶に駆動電圧を印加する時間を短くするために、Ｓ値を小さくすることによって周波数を高くする。すなわち、極性反転した駆動電圧を印加する周期を短くする。Ｓ値を３（極性反転周期３）へと変化させた場合の周波数ｆ３は、
ｆ３＝１２０×９０／（２×３）＝１８００Ｈｚ
である。
【００４３】
このように、Ｓ値を小さくすることによって、周波数を高くすることができる。このため、駆動電圧が液晶に印加される時間を短くすることができ、液晶表示パネル１０１の温度が高い場合における、ちらつきの発生を抑制し、表示品質の低下を抑制することができる。
【００４４】
また、表示電圧値は、従来と同様に温度に応じて補正を行う（ステップＳ６）。このように、液晶パネル１０１の温度に応じて、Ｓ値及び電圧値に対して最適な補正を行った駆動電圧を液晶表示パネル１０１に印加することができる。これにより、所定の温度範囲（ｔ１〜ｔ２）内においてだけでなく、低温時及び高温時いずれの場合であっても、クロストークの発生及びちらつきのない高品位の表示を行うことができる。
【００４５】
なお、本実施の形態においては、Ｓ値を温度に応じて変化させるだけでなく、駆動電圧値についても温度に応じて変化させたが、これに限定されない。Ｓ値のみを液晶表示パネル１０１の温度に応じて変化させるようにしてもよい。また、下側の基準値ｔ１および上側の基準値ｔ２は、使用する液晶の物性などに応じて任意に設定することが可能である。
【００４６】
また、駆動電圧値の補正量及びＳ値の補正量は、液晶の種類や他の駆動条件などによって、任意に決定することができる。
【００４７】
実施例．
本発明の実施例について説明する。上述のように、液晶表示パネルの温度に応じて、駆動電圧値及びＳ値の補正を行った液晶表示装置のクロストーク及びちらつきの評価を行った。本実施例の場合、−３０℃のときに駆動電圧１３．２Ｖ、Ｓ＝１３とし、２５℃のときに駆動電圧１２．１Ｖ、Ｓ＝７とし、８５℃のときに駆動電圧１１．１Ｖ、Ｓ＝３とした。
【００４８】
比較例として、従来のように、液晶表示パネルの温度に応じて駆動電圧のみの補正を行ったときのクロストーク及びちらつきの評価を行った。この場合、Ｓ値は７で一定とし、−３０℃のときに駆動電圧１３．２Ｖ、２５℃のときに駆動電圧１２．１Ｖ、８５℃のときに駆動電圧１１．１Ｖとした。このときの評価結果を以下の表に示す。
【表１】
2007226049.tif 000003
【００４９】
表に示すように、駆動電圧の補正のみを行った場合、−３０℃の低温時にはクロストークが、８５℃の高温時にはちらつきが発生した。しかしながら、本実施例のように、温度に応じて駆動電圧の補正のみならず、Ｓ値を制御することによって、低温時のクロストーク及び高温時のちらつきの改善をすることができた。
【図面の簡単な説明】
【００５０】
【図１】実施の形態にかかる液晶表示装置の構成の一例を示す概略図である。
【図２】実施の形態にかかる液晶表示装置の駆動方法を説明するためのフローチャートである。
【図３】実施の形態にかかる液晶表示装置に印加される走査信号の波形図である。
【図４】実施の形態にかかる液晶表示装置に印加される他の走査信号の波形図である。
【図５】実施の形態にかかる液晶表示装置に印加される他の走査信号の波形図である。
【図６】実施の形態にかかる液晶表示装置の駆動方法を説明するための波形図である。
【符号の説明】
【００５１】
１００  液晶表示装置
１０１  液晶表示パネル
１０２  駆動回路
１０３  温度測定器
１０４  検出回路
１０５  Ａ／Ｄコンバータ
１０６  制御回路（マイコン）
１０７  電源回路
【図１】
2007226049.tif 000004
【図２】
2007226049.tif 000005
【図３】
2007226049.tif 000006
【図４】
2007226049.tif 000007
【図５】
2007226049.tif 000008
【図６】
2007226049.tif 000009